(57)【要約】【課題】低給水圧や高鳥居高さという悪施工条件においても、試運転湯張りおよび湯張り運転が正常にできる自動湯張り装置を提供する。【解決手段】基準水位Ｌ０として所定値を手動入力する基準水位手動入力手段４１を設けると共に、操作パネル４０にて自動検出作動が選択された場合、制御装置４００は自動的に検出された基準水位Ｌ０に基づいて湯張りを行ない、操作パネル４０にて手動入力作動が選択された場合、制御装置４００は基準水位手動入力手段４１にて入力された基準水位Ｌ０に基づいて両搬送で湯張りを行なう。これにより、給水圧に対する配管鳥居の湯張り限界高さを向上させることができる。つまり、従来の試運転湯張りでは自動湯張りができないような施工条件であっても、基準水位Ｌ０を手動で設定し、その基準水位Ｌ０に相当する水量を両搬送で供給して湯張りすることで、湯張り可能条件を大幅に広げることができる。【選択図】        図１
2004340451.tif 000002
【特許請求の範囲】
【請求項１】
浴槽（１４）に湯張りをする時の水位もしくは湯量を設定する設定手段（４０）と、
前記浴槽（１４）に湯を供給する給湯手段（１０１）と、
前記給湯手段（１０１）から前記浴槽（１４）へ供給した湯量を計量する給湯量計量手段（３）と、
前記浴槽（１４）に湯張りされた湯の水位を検出する水位検出手段（８）と、
前記設定手段（４０）、前記給湯量計量手段（３）および前記水位検出手段（８）の検出信号に基づいて、前記設定手段（４０）で設定された設定水位（ＬＴ）になるように前記給湯手段（１０１）を制御する制御手段（４００）とを備え、
前記制御手段（４００）は、前記設定水位（ＬＴ）より小さい基準水位（Ｌ０）を、前記水位検出手段（８）にて検出される信号により自動的に検出・記憶する自動検出作動を有する自動湯張り装置において、
前記基準水位（Ｌ０）として所定値を手動入力する基準水位手動入力手段（４１）を設けると共に、前記設定手段（４０）にて前記自動検出作動が選択された場合、前記制御手段（４００）は自動的に検出された前記基準水位（Ｌ０）に基づいて湯張りを行ない、前記設定手段（４０）にて手動入力作動が選択された場合、前記制御手段（４００）は前記基準水位手動入力手段（４１）にて入力された前記基準水位（Ｌ０）に基づいて両搬送で湯張りを行なうことを特徴とする自動湯張り装置。
【請求項２】
前記手動入力作動が選択されて湯張りを行なう場合、湯張り開始直後に行なう残湯検出時のポンプ稼動時間（ｔｐｏｎ１）、および前記基準水位（Ｌ０）まで湯張りした時点でのポンプ循環時間（ｔｐｏｎ２）を、前記自動検出作動が選択されて湯張りを行なう場合よりも長く設定したことを特徴とする請求項１に記載の自動湯張り装置。
【請求項３】
前記自動検出作動にて行なった試運転湯張りが失敗した場合、失敗したため再度試運転湯張りを行なうよう報知すると共に、次回の試運転湯張り時には前記基準水位（Ｌ０）として自動的に所定値が入力されることを特徴とする請求項１に記載の自動湯張り装置。
【請求項４】
前記基準水位（Ｌ０）として入力される前記所定値は、前記試運転湯張りが繰り返される毎に大きくすることを特徴とする請求項３に記載の自動湯張り装置。
【請求項５】
請求項１ないし請求項４のいずれかに記載の自動湯張り装置を備えたことを特徴とする貯湯式給湯装置。
【発明の詳細な説明】
【０００１】
【発明の属する技術分野】
本発明は、浴槽への湯張りを自動で行なう自動湯張り装置、およびその自動湯張り装置を備えた貯湯式給湯装置に関するものである。
【０００２】
【従来の技術】
従来の自動湯張り装置として、本出願人が先に出願した特許文献１や特許文献２に示されるものがある。図７は、その従来の自動湯張り装置１００、およびその自動湯張り装置１００を備えた貯湯式給湯装置の概略構成を示す模式図である。また、図８は図７中の浴水制御装置４００での全体概略作動を示すフローチャートであり、図９は図８中の試運転湯張り制御Ｓ１０５の概略作動を示すフローチャート、図１０は図８中の湯張り制御Ｓ１０７の概略作動を示すフローチャートである。
【０００３】
尚、これらの装置の構成および作動の説明は、後述する「発明の実施の形態」の中で、従来と、それに対する本発明の相違点という形で詳述する。図９のフローチャートに示す試運転湯張り制御Ｓ１０５は、実際は自動湯張り装置、およびその自動湯張り装置を備えた貯湯式給湯装置を施工した後に、施工業者が試運転湯張りとして実施するものである。この試運転湯張りにより、家々によって違う浴槽の形状や、アダプタの位置情報を自動的に計測して記憶している。この記憶データは、次回以降の湯張りや、自動足し湯時の水量計算等に利用される。
【０００４】
【特許文献１】
特開２００２−９８４０８号公報
【０００５】
【特許文献２】
特開２００２−１３０８０６号公報
【０００６】
【発明が解決しようとする課題】
しかしながら、上記従来技術に示す湯張りでは、試運転・１回目・２回目の湯張りにて記憶した値に基づき、３回目以降の湯張りを実施するため、間違いなく水位と水量との関係を記憶しておく必要がある。水位を計測するためには、まず、図７中の電動２方弁７を開とした後、湯張り電磁弁２を開とし、両搬送状態にて規定量だけ湯張りする。この時、風呂戻り管１２内の空気を完全に押し出して（エアパージして）、風呂戻り管１２内が水または湯で満たされる。その後、電動２方弁７を閉じて浴槽１４内の水位圧力を水位圧力センサ８にて監視しながら片搬送湯張りする。
【０００７】
ここで、風呂戻り管１２内の空気を完全にエアパージすることができれば良いが、図１１は、従来の給水圧と湯張り可能な配管鳥居高さとの関係を表すグラフであり、このグラフに示すように、低給水圧や高鳥居高さという限界施工条件の時は、風呂戻り管１２内の空気を十分にエアパージすることができないため、そのまま湯張りを行なうと、残留空気を介して間違った水位圧力を計測してしまい、設定通りの水位に湯張りできないという問題点がある。
【０００８】
特に、湯の供給手段として貯湯式の給湯装置を用いた場合（図７参照）では、減圧弁２１にて給水圧力を１５０ｋＰａ位に減圧してから貯湯タンク２０へ給水しているうえ、風呂以外への給湯が重なると更に風呂側への給水圧力が低下し、浴水循環配管１０２（風呂往き管１３・風呂戻り管１２）への湯張り流量が落ちて、より上記のような問題点が出易いという問題点がある。
【０００９】
本発明は、上記従来技術の問題点に鑑みて成されたものであり、その目的は、貯湯タンクの設置条件や風呂配管の施工状態によって発生する低給水圧や高鳥居高さという悪施工条件においても、試運転湯張り（浴槽形状記憶運転）および湯張り運転が正常にできる自動湯張り装置および貯湯式給湯装置を提供することにある。
【００１０】
【課題を解決するための手段】
上記目的を達成するために、請求項１ないし請求項５に記載の技術的手段を採用する。すなわち、請求項１に記載の発明によれば、基準水位（Ｌ０）として所定値を手動入力する基準水位手動入力手段（４１）を設けると共に、設定手段（４０）にて自動検出作動が選択された場合、制御手段（４００）は自動的に検出された基準水位（Ｌ０）に基づいて湯張りを行ない、設定手段（４０）にて手動入力作動が選択された場合、制御手段（４００）は基準水位手動入力手段（４１）にて入力された基準水位（Ｌ０）に基づいて両搬送で湯張りを行なうことを特徴としている。
【００１１】
図５は、本発明における給水圧と湯張り可能な配管鳥居高さとの関係を表すグラフである。このように、給水圧に対する配管鳥居の湯張り限界高さを向上させることができる。つまり、従来の試運転湯張りでは、水位を誤検出して自動湯張りができないような施工条件であっても、基準水位（Ｌ０）を手動で設定し、その基準水位（Ｌ０）に相当する水量を両搬送で供給して湯張りすることで、湯張り可能条件を大幅に広げることができる。またこれにより、施工後に通常の湯張りが不能であることが分かったとしても、設置してしまった装置を撤去することや、自動湯張り機能が使用不可になるということを防ぐことができる。
【００１２】
請求項２に記載の発明によれば、手動入力作動が選択されて湯張りを行なう場合、湯張り開始直後に行なう残湯検出時のポンプ稼動時間（ｔｐｏｎ１）、および基準水位（Ｌ０）まで湯張りした時点でのポンプ循環時間（ｔｐｏｎ２）を、自動検出作動が選択されて湯張りを行なう場合よりも長く設定したことを特徴としている。これにより、浴水循環配管（１０２）内のエアパージが、より確実に成されるようになる。
【００１３】
請求項３に記載の発明によれば、自動検出作動にて行なった試運転湯張りが失敗した場合、失敗したため再度試運転湯張りを行なうよう報知すると共に、次回の試運転湯張り時には基準水位（Ｌ０）として自動的に所定値が入力されることを特徴としている。これにより、自動検出作動にて行なった試運転湯張りが失敗した場合、手動入力作動が選択された場合と同様に、制御手段（４００）は自動的に入力した基準水位（Ｌ０）の所定値に基づいて両搬送で湯張りを行なうこととなる。つまり、湯張り可能条件を広げた状態で再度試運転湯張りが行なわれることとなり、湯張り失敗時の操作を簡略にすることができる。
【００１４】
請求項４に記載の発明によれば、基準水位（Ｌ０）として入力される所定値は、試運転湯張りが繰り返される毎に大きくすることを特徴としている。これにより、湯張りの可能な基準水位（Ｌ０）を業者が想定して手動入力し試運転湯張りを繰り返すのではなく、自動的に湯張り可能な所定値まで試運転湯張りが繰り返されることとなり、湯張り失敗時の操作を簡略にすることができるうえ、浴槽の大きさに対応した最適な基準水位量とすることができる。
【００１５】
請求項５に記載の発明によれば、貯湯式給湯装置に、請求項１ないし請求項４のいずれかに記載の自動湯張り装置を備えたことを特徴としている。これにより、減圧弁にて給水圧力を減圧して給水しているうえ、風呂以外への給湯が重なる貯湯式給湯装置を湯の供給手段としても、湯張りできないという問題を無くすことができる。尚、上記各手段の括弧内の符号は、後述する実施形態に記載の具体的手段との対応関係を示す一例である。
【００１６】
【発明の実施の形態】
（第１実施形態）
以下、本発明の実施の形態を、図面に基づき説明する。図１〜５は、本発明の第１実施形態における自動湯張り装置１００、およびその自動湯張り装置１００を備えた貯湯式給湯装置の構成・作動に関するものであるが、まず図７〜１０の従来装置の構成・作動を説明し、その後従来と本発明との相違点という形で説明を行なう。まず図７は、その従来の自動湯張り装置１００、およびその自動湯張り装置１００を備えた貯湯式給湯装置の概略構成を示す模式図である。
【００１７】
まず、自動湯張り装置１００への給湯手段である貯湯式給湯装置について説明する。貯湯式給湯装置は大別して、ヒートポンプサイクルを用いた給湯用水の加熱装置であるヒートポンプユニット３００と、このヒートポンプユニット３００で加熱された高温水を貯湯するタンクユニット２００とからなる。
【００１８】
ヒートポンプユニット３００は、当ユニット３００の前後に、貯湯タンク２０内の最下部の水を吸い込むための吸入管２４、加熱した高温の湯を貯湯タンク２０内の最上部に吐出するための吐出管２５、および貯湯タンク２０からなる循環回路の一部であり、図示しない圧縮機、熱交換器などの冷凍サイクル機能部品より構成され、貯湯タンク２０内最下部から吸入した水を高温の冷媒との熱交換により加熱して貯湯タンク２０内最上部に戻すことにより貯湯タンク２０内の水を沸き上げることができるようになっている。
【００１９】
次に、貯湯タンク２０は、耐食性に優れた金属製（例えば、ステンレス製）の容器であり、外周部に図示しない断熱材が配置されており、高温の湯を長時間に渡って保温することができるようになっている。貯湯タンク２０は縦長形状であり、その底面には導入口が設けられ、この導入口には導入される水道水の水圧が所定圧となるように調節する減圧弁２１を介して、貯湯タンク２０内の下部に水道水を導入する給水路２２が接続されている。一方、貯湯タンク２０の最上部には導出口が設けられ、この導出口には貯湯タンク２０内の貯えた湯を導出して給湯対象個所へ導くための給湯路２６が接続されている。
【００２０】
また、給湯路２６には、使用者が設定した設定温度に温度調節する給湯用混合弁２７が設けられている。この給湯用混合弁２７は、給湯路２６の下流端に設けられた図示しない給湯水栓が開弁した時に、開口面積比を調節することにより、貯湯タンク２０の導出口から導出された高温の湯と、貯湯タンク２０を迂回した給水バイパス路２３から導入された水道水との混合比を調節できる温度調節弁である。尚、給湯路２６の下流端は台所・洗面所等に配置された図示しない給湯水栓に通じており、給湯水栓を開弁した時に、設定温度に温度調節された湯が出湯されるものである。
【００２１】
次に、本発明に係わる自動湯張り装置１００は、タンクユニット２００内に組み込まれて構成している。自動湯張り装置１００は、浴槽１４、給湯手段１０１、循環湯温サーミスタ（湯温検出手段）５、水位圧力センサ（水位検出手段）８、温度および水位の操作パネル（設定手段）４０、浴水制御装置（制御手段）４００等から構成されている。また給湯手段１０１は冷温水混合弁１と湯張り電磁弁２とから構成されている。
【００２２】
冷温水混合弁１は、給湯路２６からの温水と給水バイパス路２３からの冷水（水道水）とを混合し、後述する操作パネル４０や浴水制御装置４００によって設定される湯温に調整するものである。冷温水混合弁１の流出側には湯張り電磁弁２が設けられており、この弁を開くことにより浴槽１４に湯を供給するようにしている。
【００２３】
浴槽１４の側壁の下方には浴槽アダプタ１５が設けられており、浴槽１４から湯が流出する風呂戻り管１２と、浴槽１４に湯が流入する風呂往き管１３が接続されている。この風呂戻り管１２と風呂往き管１３とによって風呂循環回路１０２が形成され、浴槽１４内の湯が循環するようにしている。風呂循環回路１０２には、上記給湯手段１０１から供給される湯が流通する注湯管１１が接続されており、この間には湯量を検出する流量カウンタ（給湯量計量手段）３と、風呂循環回路１０２からの風呂湯の逆流を防止するための逆止弁４が設けられている。
【００２４】
そして、この風呂循環回路１０２内には、浴槽１４に湯張りされた湯の温度を検出する循環水温サーミスタ（湯温検出手段）５と、浴槽１４に湯張りされた湯の水位を検出する水位圧力センサ（水位検出手段）８が設けられている。更に、この風呂循環回路１０２を開閉する電動２方弁７、浴槽１４内の湯を循環させる循環ポンプ６、循環する湯の流れの有無を検出するフロースイッチ９、所定の湯温に保つための保温ヒータ１０が設けられている。尚、風呂戻り管１２と風呂往き管１３には浴室の防水壁を乗り越える等で高くなった鳥居部Ｔを持っている。
【００２５】
次に、操作パネル４０は、浴室および台所等に設置され、使用者により浴槽１４に湯張りされる湯の温度および湯の水位が設定されるものである。この設定信号は浴水制御装置４００に入力され、また、湯張り運転の支持信号が同様に浴水制御装置４００に入力される。尚、この操作パネル４０には、自動湯張り装置１００の作動中に異常が生じた場合に、使用者に異常を知らせる異常表示部、警報ブザーが備えられている。
【００２６】
浴水制御装置４００は、上記操作パネル４０からの信号に加えて、各部からの信号を受けて、給湯手段１０１を制御し、自動で浴槽１４に湯張りを行なうものである。各部からの信号とは具体的には、流量カウンタ３、循環水温サーミスタ５、水位圧力センサ８、フロースイッチ９からの検出信号である。そして、これらの信号を受けて浴水制御装置４００は、冷温水混合弁１の開度、湯張り電磁弁２の開閉、循環ポンプ６のＯＮ−ＯＦＦ、電動２方弁７の開閉、保温ヒータ１０のＯＮ−ＯＦＦを制御するようにしている。
【００２７】
次に、上記構成に基づく自動湯張り装置１００の基本作動を説明する。図８は、浴水制御装置４００の全体概略作動を示すフローチャートである。自動湯張り装置１００を設置し、図示しない電源スイッチをＯＮすると、浴水制御装置４００は、まず諸設定の初期化を行なう（ステップＳ１０１）。そして次に、図示しない湯張りスイッチからの信号に基づいて湯張りスイッチがＯＮされているかどうか判定する（ステップＳ１０２）。
【００２８】
湯張りスイッチがＯＮされていない場合には、図示しない他のスイッチの操作状態に応じて、高温足し湯・足し水等の各種手動作動制御を実行する（ステップＳ１０３）。但し、図示しない他のスイッチがいずれも操作されていない時にはステップＳ１０３は実行せず、ステップＳ１０２にリターンする。ステップＳ１０２で湯張りスイッチがＯＮされていると判定した場合には、続いて初回湯張りか否かを判定する（ステップＳ１０４）。初回の湯張りである場合には、試運転湯張り制御を実行する（ステップＳ１０５）。尚、試運転湯張り制御の作動については後述する。
【００２９】
また、ステップＳ１０４で初回湯張りではないと判定した場合には、水位圧力センサ８からの圧力情報と初回湯張り時に記憶したデータから、浴槽１４内の水位が、水位設定スイッチからの信号に基づく設定水位以上であるか否かを判定する（ステップＳ１０６）。水位が設定水位未満の場合には、湯張り制御を実行する（ステップＳ１０７）。尚、湯張り制御の作動についても後述する。また、水位が設定水位以上の場合には、自動保温・足し湯制御を実行する（ステップＳ１０８）。ステップＳ１０５を終了した場合およびステップＳ１０６で水位が設定水位以上の場合にもステップＳ１０８に進み自動保温、足し湯制御を実行する。
【００３０】
自動保温・足し湯制御が行なわれると、浴水制御装置４００は、電動２方弁７を開いたまま、湯張り電磁弁２を閉じ、循環ポンプ６を駆動して風呂循環回路１０２内に浴槽１４内の浴水を循環させる。そして、循環水温サーミスタ５が検出する温度が温度設定スイッチの設定温度よりも低い場合には電気ヒータ１０に通電し、風呂循環回路１０２内を流れる浴水を加熱する。また、循環水温サーミスタ５が検出する温度が温度設定スイッチの設定温度以上の場合には電気ヒータ１０には通電しない。
【００３１】
また、水位圧力センサ８からの圧力情報と初回湯張り時に記憶したデータから算出した浴槽１４内の水位が、水位設定スイッチからの信号に基づく設定水位未満の場合には、湯張り電磁弁２を開き、足し湯を行なう。この時も、浴水制御装置４００は、循環水温サーミスタ５からの温度情報と温度設定スイッチからの信号に基づいて冷温水混合弁１を制御する。水位が設定水位以上の場合には、湯張り電磁弁２は開かない。そして、ステップＳ１０８を実行したらステップＳ１０２にリターンする。
【００３２】
次に、従来の試運転湯張り制御の作動について説明する。施工後に、業者等が操作パネル４０から湯張りスイッチを操作すると、初回湯張りとして試運転湯張り制御が開始される。図９は、図８中の試運転湯張り制御ステップＳ１０５の概略作動を示すフローチャートである。浴水制御装置４００は、まず電動２方弁７を開く（ステップＳ１）。その後、湯張り電磁弁２を開き、往き管１３と戻り管１２の両側に湯を充填するため、両管１２・１３を使って（両搬送）所定量（本例では１０Ｌ）の湯を出湯する（ステップＳ２）。
【００３３】
そして、流量カウンタ３が所定量（１０Ｌ）を検出した時点で電動２方弁７を閉とする（ステップＳ３）。その後、水位圧力センサ８にて浴槽水位を監視しながら往き管１３を使って（片搬送）出湯し、検出水位値が浴槽アダプタ１５から１０ｃｍ上を検出した時点（図７参照）でそこを基準水位Ｌ０とし（ステップＳ４）、そこまでに出湯した湯量を記憶する（ステップＳ５）。
【００３４】
その後、再度電動２方弁７を閉とし（ステップＳ６）、循環ポンプ６を駆動して循環回路１０２の循環を開始する（ステップＳ７）。次に、湯が浴槽アダプタ１５の上まで確実にあるか否かをフロースイッチ９がＯＮしているか否かでチェックし（ステップＳ８）、フロースイッチ９がＯＮしていない場合には警報ブザーを鳴らすと共に栓抜けエラーを表示して異常を知らせる（ステップＳ９）。
【００３５】
栓抜けもなく、湯の循環が確認される場合、配管内のエアーを確実に追い出す（エアパージする）ため所定時間（本例では１５０秒）循環を続けた後（ステップＳ１０）、この時の循環湯温を循環水温サーミスタ５で検出し記憶して（ステップＳ１１）、循環ポンプ６を停止させる（ステップＳ１２）。その後、電動２方弁７を閉とし（ステップＳ１３）、所定時間（本例では３０秒）静まるのを待ってから水位計測を行なって基準水位Ｌ０の水位を確定・記憶した後（ステップＳ１４）、水位圧力センサ８の検出値を監視しながら片搬送状態にて設定水位ＬＴまで湯張りを行なう（ステップＳ１５）。
【００３６】
この時、浴水制御装置４００は、流量カウンタ３からの流量情報と水位圧力センサ８からの圧力情報とに基づき、水位圧力センサ８からの圧力情報で浴槽１４内の水位を算出するための風呂データ（水位に対する供給水量の各ポイントデータ等）を取り込みながら湯張りを行ない、設定水位ＬＴまでの湯張りが完了した時点でこの水位圧力値と水量との関係を記憶して（ステップＳ１６）試運転湯張りが終了となる。尚、水位監視時に電動２方弁７を閉じているのは、往き管１３のみから徐々に湯張りを行なうことで基準水位Ｌ０や風呂データの精度を向上させるためである。
【００３７】
次に、従来の湯張り制御の作動について説明する。図１０は、図８中の湯張り制御ステップＳ１０７の概略作動を示すフローチャートである。これはユーザが使用し始めてからの湯張り制御となる。まず電動２方弁７を開いて（ステップＳ２１）、循環ポンプ６を駆動させ（ステップＳ２２）所定時間（本例では１２０秒）の間フロースイッチ９がＯＮするか否かで浴槽内に湯が残っているか否かのチェックを行なう（ステップＳ２３、２４）。
【００３８】
これは、浴槽１４内に循環可能な残湯（浴水）があれば循環回路１０２内を循環する。この状態を所定時間（１２０秒）継続し、この間、浴水制御装置４００は、フロースイッチ９からの信号を監視する。そして、このフロースイッチ９からの信号に基づいて循環回路１０２に循環可能な残湯があるかどうか判断する（ステップＳ２３）。
【００３９】
具体的には、浴水が流れることによりフロースイッチ９が１２０秒間ＯＮ状態にある場合には循環可能な残湯ありと判断し、フロースイッチ９が１２０秒間ＯＦＦ状態にある場合には循環可能な残湯なしと判断する。また、１２０秒間の間にフロースイッチ９がＯＮ状態とＯＦＦ状態とを繰り返すような場合には、浴槽１４内の吸込口から空気を吸い込み、浴水と共に空気が流れているということなので、循環可能な残湯なしと判断するものである。
【００４０】
そして、残湯なしと判断した場合は循環ポンプ６を停止させ（ステップＳ２５）、１・２回目の湯張りか否かを判定する（ステップＳ２６）。使用し始めて１回目と２回目の湯張りの場合は、念のために浴槽１４の形状記憶を含めて上記試運転湯張り制御と同様のステップＳ２〜１６の作動を行なうものである。また、３回目以降の湯張りの場合は、それまでに記憶した水量データを利用して、基本的には水量で湯張りするスピード湯張りモードとなる。
【００４１】
まず、基準水位Ｌ０まで記憶している水量で湯張りし（ステップＳ２７）、循環ポンプ６を駆動させ（ステップＳ２８）、上記同様、湯が浴槽アダプタ１５上まで確実にあるかどうかのチェック（ステップＳ２９、３０）と、配管内のエアーの確実な追い出し（ステップＳ３１）を行ない、その時の循環湯温を検出・記憶して（ステップＳ３２）から循環ポンプ６を停止（ステップＳ３３）する。
【００４２】
その後、電動２方弁７を閉とし（ステップＳ３４）３０秒待ってから水位計測を行なって基準水位Ｌ０の水位をチェック（ステップＳ３５）した後、再度電動２方弁７を開とし（ステップＳ３６）、設定水位ＬＴの近傍（設定水位−３ｃｍ）まで両搬送にて水量湯張りする（ステップＳ３７）。そして、設定水位ＬＴの近傍（設定水位−３ｃｍ）まで湯張りした後は、電動２方弁７を閉とし（ステップＳ３８）、水位圧力センサ８の検出値を監視しながら片搬送状態にて設定水位ＬＴまで湯張りを行ない（ステップＳ３９）、湯張り作動を完了する。
【００４３】
また、ステップＳ２３・２４で残湯ありと判断した場合はステップＳ３３へ飛んで循環ポンプ６を停止させ、上記と同様に水位計測を行ない（ステップＳ３４、３５）、記憶している浴槽データから設定水位ＬＴの近傍（設定水位−３ｃｍ）まで両搬送にて水量湯張りし（ステップＳ３６、３７）、片搬送に切り換えて設定水位ＬＴまで湯張りを行ない（ステップＳ３８、３９）、湯張り作動を完了するものである。
【００４４】
次に、本発明の第１実施形態を上記従来との比較にて説明する。図１は、本発明の第１実施形態における自動湯張り装置１００、およびその自動湯張り装置１００を備えた貯湯式給湯装置の概略構成を示す模式図である。図７の従来構成とは操作パネル４０に基準水位入力スイッチ（基準水位手動入力手段）４１を設けた点が異なる。これにより、基準水位Ｌ０を手動にて設定することができることとなる。
【００４５】
図２は、図１中の浴水制御装置４００での基準水位Ｌ０手動入力の概略作動を示すフローチャートである。操作パネル４０にて「基準水位手動入力モード」を選択すると、本実施例では「基準水位」を「オート」・「８０Ｌ」・「１２０Ｌ」・「１８０Ｌ」・「３００Ｌ」の中から選択できるようになっている（ステップＳ４１）。
【００４６】
そして、その選択した基準水位を記憶する機能を持つと共に、操作パネル４０により「自動湯張り運転」と「手動設定湯張り運転」の切り換えができ、「自動湯張り運転」が選択されると基準水位記憶機能には「オート」が記憶され（ステップＳ４２、４３）、「手動設定湯張り運転」が選択されると基準水位記憶機能にはステップＳ４１で選択された「８０Ｌ」・「１２０Ｌ」・「１８０Ｌ」・「３００Ｌ」のいずれかが記憶される（ステップＳ４２、４４）ようになっている。
【００４７】
次に、本実施形態での試運転湯張り制御について説明する。図３は、図１中の浴水制御装置４００での試運転湯張り制御ステップＳ１０５の概略作動を示すフローチャートである。上述したの従来の試運転湯張り制御と同等の部分は同じステップＮｏ．とし、異なる部分は異なるステップＮｏ．を付して太枠で示した。
【００４８】
まず、ステップＳ１で電動２方弁７を開とした後で、基準水位Ｌ０が「オート」の設定であるか否かの判定を行なう（ステップＳ５１）。基準水位Ｌ０が「オート」の設定であれば、従来と同様に配管充填を行なってから片側搬送で基準水位Ｌ０を探って記憶する作動（ステップＳ２〜６）を行なう。しかし、基準水位Ｌ０が「オート」以外の設定であれば、設定してある基準水位Ｌ０の水量だけ両搬送にて湯張りし（ステップＳ５２）ステップＳ７へと飛ぶ。この時、湯量は流量カウンタ３にて計測しており、基準水位Ｌ０に設定した水量に到達した時点で停止する。
【００４９】
また、基準水位Ｌ０に到達した後、湯が浴槽アダプタ１５の上まで確実にあるか否かのチェック（ステップＳ７〜９）と、配管内のエアーの確実な追い出し（ステップＳ５４）とを実施するが、低給水圧条件および高鳥居条件等により、上記両搬送湯張りのみでは両配管１２・１３内のエアパージが十分にできず、従来通りのポンプ循環時間だけでは不足することが予想されるため、基準水位Ｌ０が「オート」設定の時はポンプ循環時間ｔｐｏｎ２を従来通りの所定時間（１５０秒）とし、「オート」以外の設定の時はポンプ循環時間ｔｐｏｎ２を３００秒として駆動する（ステップＳ５３、５４）ものである。
【００５０】
これは、低給水圧条件および高鳥居条件等により風呂湯張り流量が少なくなった時でも、循環ポンプ６を２４０〜３００秒間駆動すれば、両配管１２・１３内のエアーが充分に抜けるという実験結果から決定している。その後は、従来の試運転湯張りと同一の作動（ステップＳ１１〜１６）を実施する。
【００５１】
次に、本実施形態での湯張り制御についても説明する。図４は、図１中の浴水制御装置４００での湯張り制御ステップＳ１０７の概略作動を示すフローチャートである。上述した試運転湯張り制御と同様に、従来の湯張り制御と同等の部分は同じステップＮｏ．とし、異なる部分は異なるステップＮｏ．を付して太枠で示した。
【００５２】
まず電動２方弁７を開とした（ステップＳ２１）後、循環ポンプ６を駆動させて（ステップＳ２２）浴槽１４内に残湯があるかどうかの判定をしているが、ステップＳ２３でフロースイッチ９がＯＮの場合、基準水位Ｌ０が「オート」設定であれば、ポンプ稼動時間ｔｐｏｎ１を従来通りの所定時間（１２０秒）として監視し、基準水位Ｌ０が「オート」以外の時は、ポンプ稼動時間ｔｐｏｎ１を３００秒として監視している（ステップＳ６１、６２）。これは、高鳥居条件等により両配管１２・１３の圧損が大きい時でも循環ポンプを２４０〜３００秒間駆動すれば、両配管１２・１３内のエアーが十分に抜けるという実験結果から決定している。
【００５３】
また、浴槽１４内の残湯検出が終わった後、循環ポンプ６を停止させ（ステップＳ２５）１・２回目の湯張りか３回目以降湯張りかを判定する（ステップＳ２６）のは従来と同様だが、その後、基準水位Ｌ０が「オート」設定であるか否かを判定し（ステップＳ６３）、  「オート」設定であれば従来通りそのまま片搬送湯張りを実施し（ステップＳ２〜１６）、基準水位Ｌ０が「オート」以外の設定であれば、１・２回目の湯張りであっても片搬送湯張りは行なわず、設定してある基準水位Ｌ０の水量だけ両搬送湯張りを実施する（ステップＳ２７）ようにしている。
【００５４】
また、基準水位Ｌ０に到達した後、湯が浴槽アダプタ１５の上まで確実にあるか否かのチェック（ステップＳ２８〜３０）と、配管内のエアーの確実な追い出し（ステップＳ６５）とを実施するが、低給水圧条件および高鳥居条件等により、上記両搬送湯張りのみでは両配管１２・１３内のエアパージが十分にできず、従来通りのポンプ循環時間だけでは不足することが予想されるため、基準水位Ｌ０が「オート」設定の時はポンプ循環時間ｔｐｏｎ２を従来通りの所定時間（１５０秒）とし、「オート」以外の設定の時はポンプ循環時間ｔｐｏｎ２を３００秒として駆動する（ステップＳ６４、６５）ものである。
【００５５】
これは、前述した様に、低給水圧条件および高鳥居条件等により風呂湯張り流量が少なくなった時でも、循環ポンプを２４０〜３００秒間駆動すれば、両配管１２・１３内のエアーが充分に抜けるという実験結果から決定している。その後は、ステップＳ３２で循環湯温を記憶して、従来の湯張り制御と同一の作動（ステップＳ３３〜３９）を実施する。
【００５６】
次に、本実施形態での特徴を説明する。まず、基準水位Ｌ０として所定値を手動入力する基準水位手動入力スイッチ４１を設けると共に、操作パネル４０にて自動検出作動（以下、オート）が選択された場合、浴水制御装置４００は自動的に検出された基準水位Ｌ０に基づいて湯張りを行ない、操作パネル４０にて手動入力作動が選択された場合、浴水制御装置４００は基準水位手動入力スイッチ４１にて入力された基準水位Ｌ０に基づいて両搬送で湯張りを行なう。
【００５７】
図５は、本実施例における給水圧と湯張り可能な配管鳥居高さとの関係を表すグラフである。このように、給水圧に対する配管鳥居の湯張り限界高さを向上させることができる。つまり、従来の試運転湯張りでは、水位を誤検出して自動湯張りができないような施工条件であっても、基準水位Ｌ０を手動で設定し、その基準水位Ｌ０に相当する水量を両搬送で供給して湯張りすることで、湯張り可能条件を大幅に広げることができる。またこれにより、施工後に通常の湯張りが不能であることが分かったとしても、設置してしまった装置を撤去することや、自動湯張り機能が使用不可になるということを防ぐことができる。
【００５８】
また、手動入力作動が選択されて湯張りを行なう場合、湯張り開始直後に行なう残湯検出時のポンプ稼動時間ｔｐｏｎ１、および基準水位Ｌ０まで湯張りした時点でのポンプ循環時間ｔｐｏｎ２を、オートが選択されて湯張りを行なう場合よりも長く設定している。これにより、浴水循環配管１０２内のエアパージが、より確実に成されるようになる。
【００５９】
また、オートにて行なった試運転湯張りが失敗した場合、失敗したため再度試運転湯張りを行なうよう報知すると共に、次回の試運転湯張り時には基準水位Ｌ０として自動的に所定値が入力される。これにより、オートにて行なった試運転湯張りが失敗した場合、手動入力作動が選択された場合と同様に、浴水制御装置４００は自動的に入力した基準水位Ｌ０の所定値に基づいて両搬送で湯張りを行なうこととなる。つまり、湯張り可能条件を広げた状態で再度試運転湯張りが行なわれることとなり、湯張り失敗時の操作を簡略にすることができる。
【００６０】
また、貯湯式給湯装置に、上述の自動湯張り装置１００を備えている。これにより、減圧弁２１にて給水圧力を減圧して給水しているうえ、風呂以外への給湯が重なる貯湯式給湯装置を湯の供給手段としても、湯張りできないという問題を無くすことができる。
【００６１】
（第２実施形態）
図６は、本発明の第２実施形態における浴水制御装置４００での試運転湯張り制御の概略作動を示すフローチャートである。上述の第１実施形態では、操作パネル４０に基準水位手動入力機能を持たせてあり、まず試運転湯張りを自動モードで行って、失敗した場合には適切と思われる基準水位量を業者が想定し、それを手動入力して再試行するようになっているが、その基準水位量を自動設定させるものである。
【００６２】
より具体的には、図６に示すように、１回目の試運転湯張りは「オート」を設定して（ステップＳ７１）図３のフローを実施し、その結果エラーが発生したか否かを判定する（ステップＳ７２）。ここでエラーが発生しなかった時はステップＳ１０８へジャンプして終了するが、エラーが発生した時はそれが５回実施した結果か否かを判定する（ステップＳ７３）。５回以内の場合は、「エラー発生、浴槽の水を抜いて再度湯張りＯＮ」の表示を行なう。
【００６３】
その後、浴槽の水が抜かれて再度湯張りスイッチがＯＮされた時は、２回目として基準水位Ｌ０に「８０Ｌ」を設定して上記の作動を繰り返す。以降もエラーが発生した時は、本実施例では３回目は「１２０Ｌ」、４回目は「１８０Ｌ」、５回目は「３００Ｌ」を基準水位量に設定して上記の作動を繰り返す。そして、５回目の「３００Ｌ」ででもエラーが発生した場合は別の要因があると考えられるため、最終のエラー表示を出して終了するものである。
【００６４】
これは、エラーが発生する時は、設定した基準水位量が不適と考え、順次大きく設定して行く考えのものであり、上記の回数や設定する基準水位量は例えばの例である。このように、基準水位Ｌ０として入力される所定値は、試運転湯張りが繰り返される毎に大きくする。これにより、湯張りの可能な基準水位Ｌ０を業者が想定して手動入力し試運転湯張りを繰り返すのではなく、自動的に湯張り可能な所定値まで試運転湯張りが繰り返されることとなり、湯張り失敗時の操作を簡略にすることができるうえ、浴槽の大きさに対応した最適な基準水位量とすることができる。
【００６５】
（その他の実施形態）
上述の第１・第２実施形態においては、浴槽１４内の湯を水位でもって制御する水位管理式のものとして説明したが、湯量でもって制御する水量管理式のものであっても良い。
【図面の簡単な説明】
【図１】本発明の第１実施形態における自動湯張り装置１００、およびその自動湯張り装置１００を備えた貯湯式給湯装置の概略構成を示す模式図である。
【図２】図１中の浴水制御装置４００での基準水位Ｌ０手動入力の概略作動を示すフローチャートである。
【図３】図１中の浴水制御装置４００での試運転湯張り制御ステップＳ１０５の概略作動を示すフローチャートである。
【図４】図１中の浴水制御装置４００での湯張り制御ステップＳ１０７の概略作動を示すフローチャートである。
【図５】本発明の第１実施形態における給水圧と湯張り可能な配管鳥居高さとの関係を表すグラフである。
【図６】本発明の第２実施形態における浴水制御装置４００での試運転湯張り制御の概略作動を示すフローチャートである。
【図７】従来の自動湯張り装置１００、およびその自動湯張り装置１００を備えた貯湯式給湯装置の概略構成を示す模式図である。
【図８】図７中の浴水制御装置４００での全体概略作動を示すフローチャートである。
【図９】図８中の試運転湯張り制御ステップＳ１０５の概略作動を示すフローチャートである。
【図１０】図８中の湯張り制御ステップＳ１０７の概略作動を示すフローチャートである。
【図１１】従来の給水圧と湯張り可能な配管鳥居高さとの関係を表すグラフである。
【符号の説明】
３  流量カウンタ（給湯量計量手段）
８  水位圧力センサ（水位検出手段）
１４  浴槽
４０  操作パネル（設定手段）
４１  基準水位入力スイッチ（基準水位手動入力手段）
１０１  給湯手段
４００  浴水制御装置（制御手段）
Ｌ０  基準水位
ＬＴ  設定水位
ｔｐｏｎ１  ポンプ稼動時間
ｔｐｏｎ２  ポンプ循環時間
【図１】
2004340451.tif 000003
【図２】
2004340451.tif 000004
【図３】
2004340451.tif 000005
【図４】
2004340451.tif 000006
【図５】
2004340451.tif 000007
【図６】
2004340451.tif 000008
【図７】
2004340451.tif 000009
【図８】
2004340451.tif 000010
【図９】
2004340451.tif 000011
【図１０】
2004340451.tif 000012
【図１１】
2004340451.tif 000013